【手続補正書】
【提出日】平成25年6月28日(2013.6.28)
【手続補正１】
【補正対象書類名】特許請求の範囲
【補正対象項目名】全文
【補正方法】変更
【補正の内容】
【特許請求の範囲】
【請求項１】
下りリンク信号に前処理を適用して移動局装置へ送信する基地局装置であって、
非周期的なレポートを用いてレポートされた前処理情報を物理上りリンク共用チャネルで前記移動局装置から受信する受信部と、
最新の前記非周期的なレポートにおける前記前処理情報に基づいて、前記下りリンク信号に前記前処理を適用したことを示す下りリンク制御情報を、前記移動局装置へ送信する送信部と、を備えることを特徴とする基地局装置。
【請求項２】
下りリンク信号に前処理を適用して移動局装置へ送信する基地局装置であって、
物理上りリンク共用チャネルでレポートされた前処理情報を前記移動局装置から受信する受信部と、
前記物理上りリンク共用チャネルでの最新の前記レポートにおける前記前処理情報に基づいて、前記下りリンク信号に前記前処理を適用したことを示す下りリンク制御情報を、前記移動局装置へ送信する送信部と、を備えることを特徴とする基地局装置。
【請求項３】
前処理が適用された下りリンク信号を基地局装置から受信する移動局装置であって、
非周期的なレポートを用いて、物理上りリンク共用チャネルで前処理情報を前記基地局装置へレポートする送信部と、
最新の前記非周期的なレポートにおける前記前処理情報に基づいて、前記下りリンク信号に前記前処理が適用されたことを示す下りリンク制御情報を、前記基地局装置から受信する受信部と、を備えることを特徴とする移動局装置。
【請求項４】
前処理が適用された下りリンク信号を基地局装置から受信する移動局装置であって、
物理上りリンク共用チャネルで前処理情報を前記基地局装置へレポートする送信部と、
前記物理上りリンク共用チャネルでの最新の前記レポートにおける前記前処理情報に基づいて、前記下りリンク信号に前記前処理が適用されたことを示す下りリンク制御情報を、前記基地局装置から受信する受信部と、を備えることを特徴とする移動局装置。
【請求項５】
下りリンク信号に前処理を適用して移動局装置へ送信する基地局装置の通信方法であって、
非周期的なレポートを用いてレポートされた前処理情報を物理上りリンク共用チャネルで前記移動局装置から受信し、
最新の前記非周期的なレポートにおける前記前処理情報に基づいて、前記下りリンク信号に前記前処理を適用したことを示す下りリンク制御情報を、前記移動局装置へ送信することを特徴とする通信方法。
【請求項６】
下りリンク信号に前処理を適用して移動局装置へ送信する基地局装置の通信方法であって、
物理上りリンク共用チャネルでレポートされた前処理情報を前記移動局装置から受信し、
前記物理上りリンク共用チャネルでの最新の前記レポートにおける前記前処理情報に基づいて、前記下りリンク信号に前記前処理を適用したことを示す下りリンク制御情報を、前記移動局装置へ送信することを特徴とする通信方法。
【請求項７】
前処理が適用された下りリンク信号を基地局装置から受信する移動局装置の通信方法であって、
非周期的なレポートを用いて、物理上りリンク共用チャネルで前処理情報を前記基地局装置へレポートし、
最新の前記非周期的なレポートにおける前記前処理情報に基づいて、前記下りリンク信号に前記前処理が適用されたことを示す下りリンク制御情報を、前記基地局装置から受信することを特徴とする通信方法。
【請求項８】
前処理が適用された下りリンク信号を基地局装置から受信する移動局装置の通信方法であって、
物理上りリンク共用チャネルで前処理情報を前記基地局装置へレポートし、
前記物理上りリンク共用チャネルでの最新の前記レポートにおける前記前処理情報に基づいて、前記下りリンク信号に前記前処理が適用されたことを示す下りリンク制御情報を、前記基地局装置から受信することを特徴とする通信方法。
【手続補正２】
【補正対象書類名】明細書
【補正対象項目名】発明の名称
【補正方法】変更
【補正の内容】
【発明の名称】基地局装置、移動局装置および通信方法
【手続補正３】
【補正対象書類名】明細書
【補正対象項目名】００３７
【補正方法】変更
【補正の内容】
【００３７】
本発明の他の観点によれば、移動局装置が、基地局装置から受信した信号の受信品質を測定し、受信品質情報を基地局装置へ送信する移動通信システムにおける通信方法であって、移動局装置が、送信信号を前処理する情報を示す送信信号前処理情報を含むフィードバック情報を基地局装置に送信し、前記フィードバック情報は、同時に設定されうる複数種類のフィードバック方式に基づいて送信するステップと、前記基地局装置が、下りリンク信号に前処理を施してこれを移動局装置に送信し、前記前処理に利用した系列を表す送信信号前処理系列確認情報を下りリンク信号とともに移動局装置へ送信するステップとを含み、前記送信信号前処理系列確認情報によって表わされる前記前処理に利用した系列は、移動局装置から基地局装置へ送信された送信信号前処理情報のうち、送信もしくは受信された時間と、前記フィードバック方式の違いと、送信信号前処理情報が適用される周波数チャネルの広さのいずれかを利用した優先度に基づいて決定することを特徴とする移動通信方法が提供される。
本発明の他の観点によれば、本発明は、下りリンク信号に前処理を適用して移動局装置へ送信する基地局装置であって、非周期的なレポートを用いてレポートされた前処理情報を物理上りリンク共用チャネルで前記移動局装置から受信する受信部と、最新の前記非周期的なレポートにおける前記前処理情報に基づいて、前記下りリンク信号に前記前処理を適用したことを示す下りリンク制御情報を、前記移動局装置へ送信する送信部と、を備えることを特徴とする基地局装置である。
本発明の他の観点によれば、本発明は、下りリンク信号に前処理を適用して移動局装置へ送信する基地局装置であって、物理上りリンク共用チャネルでレポートされた前処理情報を前記移動局装置から受信する受信部と、前記物理上りリンク共用チャネルでの最新の前記レポートにおける前記前処理情報に基づいて、前記下りリンク信号に前記前処理を適用したことを示す下りリンク制御情報を、前記移動局装置へ送信する送信部と、を備えることを特徴とする基地局装置である。
本発明の他の観点によれば、本発明は、前処理が適用された下りリンク信号を基地局装置から受信する移動局装置であって、非周期的なレポートを用いて、物理上りリンク共用チャネルで前処理情報を前記基地局装置へレポートする送信部と、最新の前記非周期的なレポートにおける前記前処理情報に基づいて、前記下りリンク信号に前記前処理が適用されたことを示す下りリンク制御情報を、前記基地局装置から受信する受信部と、を備えることを特徴とする移動局装置である。
本発明の他の観点によれば、本発明は、前処理が適用された下りリンク信号を基地局装置から受信する移動局装置であって、物理上りリンク共用チャネルで前処理情報を前記基地局装置へレポートする送信部と、前記物理上りリンク共用チャネルでの最新の前記レポートにおける前記前処理情報に基づいて、前記下りリンク信号に前記前処理が適用されたことを示す下りリンク制御情報を、前記基地局装置から受信する受信部と、を備えることを特徴とする移動局装置である。
本発明の他の観点によれば、本発明は、下りリンク信号に前処理を適用して移動局装置へ送信する基地局装置の通信方法であって、非周期的なレポートを用いてレポートされた前処理情報を物理上りリンク共用チャネルで前記移動局装置から受信し、最新の前記非周期的なレポートにおける前記前処理情報に基づいて、前記下りリンク信号に前記前処理を適用したことを示す下りリンク制御情報を、前記移動局装置へ送信することを特徴とする通信方法である。
本発明の他の観点によれば、本発明は、下りリンク信号に前処理を適用して移動局装置へ送信する基地局装置の通信方法であって、物理上りリンク共用チャネルでレポートされた前処理情報を前記移動局装置から受信し、前記物理上りリンク共用チャネルでの最新の前記レポートにおける前記前処理情報に基づいて、前記下りリンク信号に前記前処理を適用したことを示す下りリンク制御情報を、前記移動局装置へ送信することを特徴とする通信方法である。
本発明の他の観点によれば、本発明は、前処理が適用された下りリンク信号を基地局装置から受信する移動局装置の通信方法であって、非周期的なレポートを用いて、物理上りリンク共用チャネルで前処理情報を前記基地局装置へレポートし、最新の前記非周期的なレポートにおける前記前処理情報に基づいて、前記下りリンク信号に前記前処理が適用されたことを示す下りリンク制御情報を、前記基地局装置から受信することを特徴とする通信方法である。
本発明の他の観点によれば、本発明は、前処理が適用された下りリンク信号を基地局装置から受信する移動局装置の通信方法であって、物理上りリンク共用チャネルで前処理情報を前記基地局装置へレポートし、前記物理上りリンク共用チャネルでの最新の前記レポートにおける前記前処理情報に基づいて、前記下りリンク信号に前記前処理が適用されたことを示す下りリンク制御情報を、前記基地局装置から受信することを特徴とする通信方法である。